(57)【要約】【課題】様々な水洗便器に対応して衛生洗浄装置の給水配管と電源コードを水洗便器内に収納して、使用者の視界に入らないようにすることができる衛生洗浄装置及びトイレ装置を提供すること。【解決手段】給水配管に接続される給水接続管と、前記給水接続管を介して供給される水を吐水する吐水ノズルと、を有する本体部と、を備えた衛生洗浄装置において、前記給水接続管はクランク機構を備え、上下・左右・前後方向に回転可能であることを特徴とする衛生洗浄装置である。【選択図】図４
2014189999.tif 000002
【特許請求の範囲】
【請求項１】
給水配管に接続される給水接続管と、
前記給水接続管を介して供給される水を吐水する吐水ノズルと、を有する本体部と、
を備えた衛生洗浄装置において、
前記給水接続管はクランク機構を備え、上下・左右・前後方向に回転可能であることを特徴とする衛生洗浄装置。
【請求項２】
請求項１記載の衛生洗浄装置と、前記衛生洗浄装置が上面後部に取り付けられる水洗便器と、を備えたトイレ装置において、
前記衛生洗浄装置は電力が供給される電源コードと、を有し、
前記水洗便器には、前記給水配管及び前記電源コードを前記水洗便器の上面後部から背面へと導く貫通孔が形成されていることを特徴とするトイレ装置。
【発明の詳細な説明】
【技術分野】
【０００１】
本発明は、衛生洗浄装置及びトイレ装置に関する。
【背景技術】
【０００２】
近年では、便座に座った人の局部に向けて洗浄水を噴出させ局部の洗浄を行う衛生洗浄装置が普及している。従来のトイレ装置には、意匠性の観点から、衛生洗浄装置の給水配管と電源コードを水洗便器内に収納して、使用者の視界に入らないようにし、トイレ装置に一体感を持たせるトイレ装置が提案されている（特許文献１）。
【０００３】
特許文献１のトイレ装置では、水洗便器の貫通孔の位置に応じた衛生洗浄装置になっている為、取り付けられる水洗便器に限りがある。水洗便器には様々な形状がある為、貫通孔の位置も水洗便器に応じて変わってくる。その為、様々な水洗便器に対応する為にはその数だけの衛生洗浄装置が必要になる。
【先行技術文献】
【特許文献】
【０００４】
【特許文献１】実開昭６３−１１２５７８号公報
【発明の概要】
【発明が解決しようとする課題】
【０００５】
本発明は、かかる課題の認識に基づいてなされたものであり、様々な水洗便器に対応して衛生洗浄装置の給水配管と電源コードを水洗便器内に収納して、使用者の視界に入らないようにすることができる衛生洗浄装置及びトイレ装置を提供することを目的とする。
【課題を解決するための手段】
【０００６】
第１の発明は、給水配管に接続される給水接続管と、前記給水接続管を介して供給される水を吐水する吐水ノズルと、を有する本体部と、を備えた衛生洗浄装置において、前記給水接続管はクランク機構を備え、上下・左右・前後方向に回転可能であることを特徴とする衛生洗浄装置である。
【０００７】
この発明によれば、給水接続管はクランク機構を備え、上下・左右・前後方向に回転可能である。その為、様々な水洗便器に対応して衛生洗浄装置の給水配管を水洗便器内に収納して、使用者の視界に入らないようにすることができる。
給水接続管が水洗便器に形成された貫通孔の内壁と干渉した際も、給水接続管が直接荷重を受けずに回転することができる為、破損による漏水を防ぐことができる。
また、給水接続管はクランク機構を備え、上下・左右・前後方向に回転可能である為、給水配管の接続方向を製品外側へ向けることで貫通孔を設けていない水洗便器と設置することが可能となり、汎用性を高めることが出来る。
【０００８】
また、第２の発明は、第1の発明の衛生洗浄装置と、前記衛生洗浄装置が上面後部に取り付けられる水洗便器と、を備えたトイレ装置において、前記衛生洗浄装置は電力が供給される電源コードと、を有し、前記水洗便器には、前記給水配管及び前記電源コードを前記水洗便器の上面後部から背面へと導く貫通孔が形成されていることを特徴とするトイレ装置である。
【０００９】
この発明によれば、衛生洗浄装置の給水配管および電源コードを水洗便器内に収納して、使用者の視界に入らないようにすることができるトイレ装置を提供できる。
【発明の効果】
【００１０】
本発明の態様によれば、様々な水洗便器に対応して衛生洗浄装置の給水配管と電源コードを水洗便器内に収納して、使用者の視界に入らないようにすることができる衛生洗浄装置及びトイレ装置を提供できる。
【図面の簡単な説明】
【００１１】
【図１】本発明の実施の形態にかかるトイレ装置の模式斜視図である。
【図２】本発明の実施の形態にかかる水洗便器リム上面に貫通孔を設けた水洗便器の模式斜視図である。
【図３】本発明の実施の形態にかかる衛生洗浄装置の底面からの斜視図である。
【図４】本発明の実施の形態にかかる衛生洗浄装置の給水接続配管を斜め後方から眺めた模式図である。
【発明を実施するための形態】
【００１２】
以下、図面を参照しつつ本発明の実施の形態について説明する。なお、各図面中、同様の構成要素には同一の符号を付して詳細の説明は適宜省略する。
図１は、本発明の実施の形態にかかるトイレ装置の模式斜視図である。また、図２は本発明の実施の形態にかかる水洗便器リム上面の貫通孔を設けた水洗便器の模式斜視図である。また、図３は本発明の実施の形態にかかる衛生洗浄装置の底面からの斜視図である。また、図４は本発明の実施の形態にかかる衛生洗浄装置の給水接続配管を斜め後方から眺めた模式図である。
【００１３】
図１に示すように、トイレ装置１００は、水洗便器１０と、衛生洗浄装置５０とを備える。衛生洗浄装置５０は、図示しない吐水ノズルが収納されたケーシング５２と、ケーシング５２に軸支され、回動可能な便蓋５１とを備える。
【００１４】
ケーシング５２の内部には、衛生洗浄装置５０としての機能部が併設されていてもよい。例えば、ケーシング５２の内部には、便座に座った使用者の「おしり」などに向けて温風を吹き付けて乾燥させる温風乾燥機能部や脱臭ユニット部や室内暖房機能部などの各種の機構が適宜設けられていてもよい。
【００１５】
本実施形態の水洗便器１０は、図２で示すように後述する衛生洗浄装置５０の給水配管６５と電源コード６７を水洗便器内部に隠蔽するための貫通孔１２を有している。貫通孔１２は給水配管６５と電源コード６７を水洗便器の背面に導くために、水洗便器の上面後部から背面にかけて貫通している。
【００１６】
このトイレ装置１００には水洗便器リム上面に貫通孔を設ける必要があるが、水洗便器にリム上面の貫通させることが出来る範囲は、水洗便器の形状によって異なる。水洗便器リム上面の周囲近傍や陶器タンクからの通水路などのように陶器の生地が袋状になっている部分では一般的に貫通孔を設けることは難しく、貫通孔は空けることはできない。水洗便器形状により設けることの出来る貫通孔の範囲は異なる。
【００１７】
次に衛生洗浄装置５０の給水配管６５と電源コード６７について、図３に基づき説明する。給水配管６５は、後述する衛生洗浄装置５０の背面側方下部に設置された給水接続管６０に接続されている。電源コード６７は、衛生洗浄装置５０の背面側方下部で給水配管６５の近傍から延出されており、商用電源と接続されている。
【００１８】
次に給水接続管６０について、図４に基づき説明する。給水接続管６０は軸と軸とがずれている管などをつなぐことができるクランク機構となっている。
給水接続管６０は、ケーシング５２から延出しているバルブ５５と給水配管６５とを接続している。この構成により給水配管６５から流れてきた水がバルブ５５に供給され、結果、吐水ノズルから水が吐水可能となっている。
【００１９】
給水接続管６０の回転方向は、トイレ装置１００を使用者から見て正面に対する方向として説明する。左右方向の回転とは、トイレ装置１００が設置される地面から鉛直な軸を中心に回転することを示す。上下方向の回転とは、トイレ装置１００の正面に対して平行となる後方の壁から鉛直な軸を中心に回転することを示す。前後方向とは、トイレ装置１００の側面を通る鉛直な軸を中心に回転することを示す。
【００２０】
図４（a）に基づき、給水接続管６０が左右方向に回転する構成について説明する。ケーシング５２から延出しているバルブ５５と給水接続管６０とが連結されている軸を中心に、給水接続管６０が左右方向に回転する。
【００２１】
この構成により、水洗便器毎に異なる貫通孔の位置及び大きさに応じて、給水配管６５の接続位置を調整することができる。その為、様々な水洗便器に対応して衛生洗浄装置の給水配管６５を水洗便器内に収納して、使用者の視界に入らないようにすることができる。
【００２２】
また、調整できる範囲を広く確保する為、給水接続管６０が回転する角度は、ケーシング５２と干渉しないように３６０度回転できるようにしてもよい。同じく、調整できる範囲を広く確保する為、給水接続管６０のクランク機構の長さが調整できる機構を設けてもよい。
【００２３】
図４（b）に基づき、給水接続管６０が上下方向に回転する構成について説明する。給水接続管６０のクランク構成の中で、軸と軸とがずれている管をつなぐ配管の軸を中心として給水接続管６０が上下方向に回転する。
【００２４】
この構成により、給水配管６５の接続位置を製品側面へ向けることができる。その為、貫通孔を設けていない水洗便器とも設置することが可能となり、汎用性を高めることが出来る。
【００２５】
図４（c）に基づき、給水接続管６０が前後方向に回転する構成について説明する。給水接続管６０のクランク構成の中で、軸と軸とがずれている管をつなぐ配管と給水配管６５が接続される側の配管が交差する部分を軸の中心として、給水接続管６０が前後方向に回転する。
【００２６】
この構成により、給水配管６５の接続位置を前後方向に動かすことができる。その為、給水接続管６０が水洗便器に形成された貫通孔の内壁と干渉した際も、給水接続管６０が前後に動くことで、バルブ５５に直接荷重が伝わらず、破損等による漏水を防ぐことができる。
【符号の説明】
【００２７】
１０  水洗便器
１２  貫通孔
５０  衛生洗浄装置
５１  便蓋
５２  ケーシング
５５  バルブ
６０  給水接続管
６５  給水配管
６７  電源コード
１００  トイレ装置
【図３】
2014189999.tif 000003
【図１】
2014189999.tif 000004
【図２】
2014189999.tif 000005
【図４】
2014189999.tif 000006